(57)【特許請求の範囲】
【請求項１】
土間部分と立上り部分を鉄筋コンクリートで一体に構築するベタ基礎工法であって、
前記土間部分に鉄筋を組み、立上り部分に鉛直方向の鉄筋(Ｒ)を設置した状態で底盤コンクリート(Ｃ1)を打設するステップと；その後、立上り部分から突き出した鉛直方向の鉄筋(Ｒ)に水平方向の鉄筋(Ｒ’)を連結して鉄筋を格子状に組むステップと；その後、前記打設された底盤コンクリート(Ｃ1)上に、下側が開口した断面コ字状のＰＣユニット(１)(１)…を、立上り部分の鉄筋(Ｒ)が被覆されるように並置するステップと；この並置されたＰＣユニット(１)(１)…の上面に設けられた注入口(11)から流体状の後打ちコンクリート(Ｃ2)を流し込んで、ＰＣユニット(１)の中空部内に前記後打ちコンクリート(Ｃ2)を充填するステップとを含むことを特徴とするＰＣユニットを用いたベタ基礎工法。
【請求項２】
底盤コンクリート(Ｃ1)上にＰＣユニット(１)(１)…を並置する際、ＰＣユニット(１)の底部に設けられた支持脚(15)(15)…の高さを調節して、ＰＣユニット(１)の水平を出すと共に、ＰＣユニット(１)と底盤コンクリート(Ｃ1)との間に所定大きさの隙間を形成することを特徴とする請求項１記載のＰＣユニットを用いたベタ基礎工法。
【請求項３】
底盤コンクリート(Ｃ1)上にＰＣユニット(１)(１)…を並置した後、ＰＣユニット(１)(１)…の両側に、棒状または板状の基部型枠(Ｍ)(Ｍ)をＰＣユニット(１)と底盤コンクリート(Ｃ1)間の隙間を塞ぐように配置して、ＰＣユニット(１)内に後打ちコンクリートを流し混んだ際、下縁部(13)の凹部(13a)を含むＰＣユニット(１)と底盤コンクリート(Ｃ1)間の隙間から後打ちコンクリート(Ｃ2)が外に漏れ出ないようにすることを特徴とする請求項２記載のＰＣユニットを用いたベタ基礎工法。
【請求項４】
底盤コンクリート(Ｃ1)上にＰＣユニット(１)(１)…を並置した後、ＰＣユニット(１)(１)同士の境目部分にコ字型の型板部材(Ａ)を、境目の隙間を塞ぐように被せて、ＰＣユニット(１)内に後打ちコンクリート(Ｃ2)を流し混んだ際、両側縁部(12)(12)の凹部(12a)(12a)を含むＰＣユニット(１)(１)間の隙間から後打ちコンクリート(Ｃ2)が外に漏れ出ないようにすることを特徴とする請求項１〜３の何れか一つに記載ＰＣユニットを用いたベタ基礎工法。
【請求項５】
ベタ基礎の立上り部分に沿って底盤コンクリート(Ｃ1)上に並置されるＰＣユニット(１)であって、
下側が開口した断面コ字状の形状を成し、かつ、上面側には流体状の後打ちコンクリート(Ｃ2)を中空部に流し込むための注入口(11)が、下側に向かって開口スペースが狭まるテーパ状に形成されていることを特徴とするＰＣユニット。
【請求項６】
ベタ基礎の立上り部分に沿って底盤コンクリート(Ｃ1)上に並置されるＰＣユニット(１)であって、
下側が開口した断面コ字状の形状を成し、かつ、上面側には流体状の後打ちコンクリート(Ｃ2)を中空部に流し込むための注入口(11)が設けられ、更に両側縁部(12)(12)には、化粧面(Ｋ)の外観が損なわれないように中空内壁(14)側にのみ凹部(12a)が形成されていることを特徴とするＰＣユニット。
【請求項７】
ベタ基礎の立上り部分に沿って底盤コンクリート(Ｃ1)上に並置されるＰＣユニット(１)であって、
下側が開口した断面コ字状の形状を成し、かつ、上面側には流体状の後打ちコンクリート(Ｃ2)を中空部に流し込むための注入口(11)が設けられ、更に下縁部(13)には、化粧面(Ｋ)の外観が損なわれないように中空内壁(14)側にのみ凹部(13a)が形成されていることを特徴とするＰＣユニット。
【請求項８】
底部に高さ調節が自在な支持脚(15)(15)…が設けられていることを特徴とする請求項５〜７の何れか一つに記載のＰＣユニット。
【発明の詳細な説明】
【技術分野】
【０００１】
本発明は、ＰＣ(プレキャストコンクリート)ユニットを用いたベタ基礎工法の改良、詳しくは、建築物の基礎工事を簡単かつ効率的に進めることができ、またＰＣユニットの搬入作業や設置作業も容易に行え、しかも、施工時の安全性および施工精度や接合強度の面でも優れたＰＣユニットを用いたベタ基礎工法、及びそれに用いるＰＣユニットに関するものである。
【背景技術】
【０００２】
周知のとおり、多くの住宅には、土台を載せる立上り部分と土間部分がコンクリートで一体となったベタ基礎が採用されているが、通常、ベタ基礎の立上り部をコンクリートで形成する際には、コンパネ等で型枠を組んでコンクリートを流し混む必要があるため、施工作業に時間がかかる。また、型枠を正確に組むのに高度な施工技術も要求される。
【０００３】
そこで、従来においては、上記ベタ基礎の立上り部を形成する際に、立上り部全体に型枠を組まなくても済むように、予め工場で製造されたＰＣユニットを使用し、このＰＣユニットを所定配置で並べて土間部分と一体化することにより立上り部を形成するベタ基礎工法も提案されている(例えば、特許文献１参照)。
【０００４】
しかしながら、上記文献１に記載された工法のように、ＰＣユニットに中実の鉄筋コンクリートブロックを使用すると、ＰＣユニットの重量が非常に大きくなって、建築現場への搬入や立上り部への設置を人力のみで行うことが困難になる。そして、ＰＣユニットの移動にクレーン車等を使用すると、施工効率が悪化する。
【０００５】
そこで、従来においては、上記ＰＣユニットの搬入や設置の問題を解消するために、ＰＣユニットに中空のコンクリートブロックを使用する技術も提案されており(特許文献２〜４参照)、これらの技術では、ＰＣユニットを設置した後に、ＰＣユニットの上側から中空部にコンクリートを流し混んで立上り部を形成している。
【０００６】
ちなみに、上記文献２,３に記載された工法は、メインで使用する中実のＰＣユニット間に生じた隙間に中空のＰＣユニットを使用してベタ基礎の立上り部を形成する技術であり、文献４に記載された工法は、中実のＰＣユニットを使用せずに中空のＰＣユニットのみを使用してベタ基礎の立上り部を形成する技術である。
【０００７】
ところが、上記文献２〜４に記載された工法は、土間部分のコンクリートを打設する前に、ＰＣユニットを立上り部に設置する方法を採用していたため、ＰＣユニットの設置時に、作業者は足下に組まれた鉄筋を避けながら移動しなければならなかった。そのため、施工中に作業者が鉄筋に足を引っかけて転倒する危険があった。
【０００８】
しかも、上記のように土間部分のコンクリートを打設する前に、ＰＣユニットを設置する方法を採用すると、基礎の下に敷設する砕石上にＰＣユニットを設置しなければならないため、ＰＣユニットを精度良く水平に設置することが難しかった。そのため、わざわざ立上り部に捨てコンクリートを打ってＰＣユニットの水平を出す必要があった。
【０００９】
そしてまた、上記文献４に記載された中空のＰＣユニットに関しては、両側縁部や下縁部に凹部が形成されていなかったため、後施工で流し混んだコンクリートによってＰＣユニットと底盤コンクリートおよびＰＣユニット同士を接合する場合に、後打ちコンクリートとＰＣユニットの接合面積が小さくなって充分な接合強度が得られなかった。
【先行技術文献】
【特許文献】
【００１０】
【特許文献１】特開２０１０−７０９０３号公報
【特許文献２】特開２００３−２７４９７号公報
【特許文献３】特開２００８−１７５０３６号公報
【特許文献４】特開２００２−３６４００１号公報
【発明の概要】
【発明が解決しようとする課題】
【００１１】
本発明は、従来技術に上記問題があったことに鑑みて為されたものであり、その目的とするところは、建築物のベタ基礎工事を簡単かつ効率的に進めることができ、また建築現場へのＰＣユニットの搬入も容易に行え、しかも、施工時の安全性および精度や接合強度の面でも優れたＰＣユニットを用いたベタ基礎工法、及びそれに用いるＰＣユニットを提供することにある。
【課題を解決するための手段】
【００１２】
本発明者が上記技術的課題を解決するために採用した手段を、添付図面を参照して説明すれば、次のとおりである。
【００１３】
即ち、本発明は、土間部分と立上り部分を鉄筋コンクリートで一体に構築するベタ基礎工法であって、
前記土間部分に鉄筋を組み、立上り部分に少なくとも鉛直方向の鉄筋Ｒを設置した状態で底盤コンクリートＣ1を打設するステップと；；その後、立上り部分から突き出した鉛直方向の鉄筋Ｒに水平方向の鉄筋Ｒ’を連結して鉄筋を格子状に組むステップと；その後、前記打設された底盤コンクリートＣ1上に、下側が開口した断面コ字状のＰＣユニット１・１…を、底盤コンクリートＣ1との間に所定大きさの隙間を空けた状態で、かつ、立上り部分の鉄筋Ｒが被覆されるように並置するステップと；この並置されたＰＣユニット１・１…の上面に設けられた注入口11から流体状の後打ちコンクリートＣ2を流し込んで、ＰＣユニット１の中空部およびＰＣユニット１の両側縁部12・12と下縁部13に形成された各凹部12a・13a内に後打ちコンクリートＣ2を充填するステップとを含む方法を採用した点に特徴がある。
【００１４】
なお、上記底盤コンクリートＣ1上に並置するＰＣユニット１・１…に関しては、後打ちコンクリートとの接合強度を向上させるために中空内壁14・14にも凹部14a・14a…が形成されたものを使用するのが好ましい。
【００１６】
また更に、本発明においては、上記底盤コンクリートＣ1上にＰＣユニット１・１…を並置した後、ＰＣユニット１・１同士の境目部分にコ字型の型板部材Ａを、境目の隙間を塞ぐように被せて、ＰＣユニット１内に後打ちコンクリートＣ2を流し混んだ際、両側縁部12・12の凹部12a・12aを含むＰＣユニット１・１間の隙間から後打ちコンクリートＣ2が外に漏れ出ないようにすることもできる。
【００１７】
そしてまた、本発明では、上記底盤コンクリートＣ1上にＰＣユニット１・１…を並置した後、ＰＣユニット１・１…の両側に、棒状または板状の基部型枠Ｍ・ＭをＰＣユニット１と底盤コンクリートＣ1間の隙間を塞ぐように配置して、ＰＣユニット１内に後打ちコンクリートを流し混んだ際、下縁部13の凹部13aを含むＰＣユニット１と底盤コンクリートＣ1間の隙間から後打ちコンクリートＣ2が外に漏れ出ないようにすることもできる。
【００１８】
また、本発明においては、上記底盤コンクリートＣ1上にＰＣユニット１・１…を並置する際、ＰＣユニット１の底部に設けられた支持脚15・15…の高さを調節して、ＰＣユニット１の水平を出すと共に、ＰＣユニット１と底盤コンクリートＣ1間に所定大きさの隙間を形成することができる。
【００１９】
一方、上記ベタ基礎工法を実施する際に、ベタ基礎の立上り部分に沿って底盤コンクリートＣ1上に並置するＰＣユニット１としては、下側が開口した断面コ字状の形状を成し、かつ、上面側には流体状の後打ちコンクリートＣ2を中空部に流し込むための注入口13が設けられ、更に底部に高さ調節が自在な支持脚15・15…が付設されたものを使用することが好ましい。またＰＣユニット１としては、注入口11が、下側に向かって開口スペースが狭まるテーパ状に形成されたもの、或いは両側縁部12・12や下縁部13に、凹部13aが化粧面Ｋの外観が損なわれないように中空内壁14側にのみ形成されたものも好適に使用できる。
【発明の効果】
【００２０】
本発明では、土間部分に鉄筋を組んで底盤コンクリートを打設した後に、中空のＰＣユニットを立上り部に沿って並べて配置し、これらのＰＣユニット内に後打ちコンクリートを流し混んでベタ基礎を構築する方法を採用したことにより、立上り部全体に型枠等を組む必要がないため、ベタ基礎工事の容易化および効率化が図れる。
【００２１】
しかも、上記ＰＣユニットに中空のコンクリートブロックを使用したことにより、トラックから建築現場へのＰＣユニットの搬入作業および底盤コンクリート上でのＰＣユニットの設置作業などもクレーン車を用いずに人力で行うことができるため、施工作業をより迅速に行うことが可能となる。
【００２２】
また更に、本発明では、上記ＰＣユニットの両側縁部及び下縁部に形成した凹部に、後打ちコンクリートを充填することで、後打ちコンクリートとＰＣユニットの接合面積を増大することができるため、接合強度も向上できる。加えて、ＰＣユニットの凹凸部によってアンカー効果も得られるため、後打ちコンクリートに対するＰＣユニットの水平方向および鉛直方向のズレも抑制できる。
【００２３】
他方また、本発明では、先に土間部分に底盤コンクリートを打設してからＰＣユニットの設置を行えるため、足下が綺麗な状態で設置作業を行うことが可能となり、作業者が転倒する危険性も殆どない。しかも、先に底盤コンクリートを打設することにより、ＰＣユニットの水平出しも容易に行えるため、施工精度の向上も図れる。
【００２４】
したがって、本発明により、施工作業及び搬入作業をより容易に行えるようになるだけでなく、建築物の基礎として充分な強度を確保することができ、しかも、施工作業の安全性についても改善できるＰＣユニットを用いたベタ基礎工法を提供できることから、本発明の実用的価値は頗る高い。
【図面の簡単な説明】
【００２５】
【図１】本発明の実施例１のベタ基礎工法において使用するＰＣユニットを表わす全体斜視図である。
【図２】本発明の実施例１のベタ基礎工法において使用するＰＣユニットを表わす正面図、上面図及び両側面図である。
【図３】本発明の実施例１のベタ基礎工法において使用するＰＣユニットを長手方向に沿って中央で切断した状態を表わす斜視図である。
【図４】本発明の実施例１のベタ基礎工法において使用するＬ型のＰＣユニットを表わす正面図、上面図及び両側面図である。
【図５】本発明の実施例１のベタ基礎工法において使用するＴ型のＰＣユニットを洗わす正面図、上面図及び両側面図である。
【図６】本発明の実施例１におけるベタ基礎工法の底盤コンクリート打設工程を表わす状態説明図である。
【図７】本発明の実施例１におけるベタ基礎工法の立上り部分の鉄筋組み工程を表わす状態説明図である。
【図８】本発明の実施例１におけるベタ基礎工法のＰＣユニット設置工程を表わす状態説明図である。
【図９】本発明の実施例１におけるベタ基礎工法の後打ちコンクリート打設工程を表わす状態説明図である。
【図１０】本発明のベタ基礎工法において使用するＰＣユニットの変形例を表わす平面図である。
【発明を実施するための形態】
【００２６】
『実施例１』
本発明の実施例１について、図１〜図９に基いて説明する。なお同図において、符号１で指示するものは、ＰＣユニットであり、符号Ｋで指示するものは、ＰＣユニットの化粧面である。また符号Ｃで指示するものは、底盤コンクリート及び後打ちコンクリートであり、符号Ｒで指示するものは、立上り部分の鉄筋である。また符号Ａで指示するものは、型板部材であり、符号Ｍで指示するものは、基部型枠である。
【００２７】
[ＰＣユニットについて]
まず、本実施例のベタ基礎工法において使用するＰＣユニット１について説明する。この実施例１では、下側が開口した断面コ字状の中空コンクリートブロックからＰＣユニット１を構成している(図１、図２参照)。また、このＰＣユニット１の上面側には、所定大きさの注入口11を中空部と連通するように設けている。
【００２８】
なお、上記ＰＣユニット１の注入口11に関しては、下側に向かって開口スペースが狭まるテーパ状に形成するのが好ましい。また、注入口11の形状や数、大きさについても、本実施例では比較的大きい矩形型の注入口11を一つ設けているが、ＰＣユニット１の形状や大きさに応じて複数箇所に設ける等、適宜変更することができる。
【００２９】
そしてまた、上記ＰＣユニットの両側縁部12・12及び下縁部13には、図３に示すように台形型の凹部12a・13aを所定間隔で形成している。なお本実施例では、ＰＣユニット１の化粧面Ｋの外観が損なわれないように、両側縁部12・12及び下縁部13の凹部12a・13aを外側まで形成せずに中空内壁14側にのみ形成している。
【００３０】
なお、上記ＰＣユニットの化粧面Ｋについては、本実施例では細い縦溝を所定間隔で設けて模様を形成しているが、その他の模様を採用することもできる。また本実施例では、上記ＰＣユニット１の中空内壁14・14にも溝状の凹部14a・14a…(図３中において塗り潰した部分)を所定間隔で形成している。
【００３１】
また更に、本実施例においては、上記ＰＣユニット１の底部四隅に埋設したナット部材にボルト部を有する支持脚15・15…を取着している。これにより、取着した支持脚15・15…の長さをアジャストボルト式に調節することが可能となるため、ＰＣユニット１の高さを自由に調整することができる。
【００３２】
一方、本実施例のベタ基礎工法においては、図２に示す平面視で直線型のＰＣユニット１だけでなく、図４に示す平面視でＬ型を成すＰＣユニット１や、図５に示す平面視でＴ型を成すＰＣユニット１、平面視で十字型を成すＰＣユニット１(図示せず)も使用する。なお、これらＰＣユニット１は、全て断面コ字型の中空ブロックから構成される。
【００３３】
また、注入口11に関しては、Ｌ型のＰＣユニット１にはＬ型の注入口11を、Ｔ型のＰＣユニット１にはＴ型の注入口11、十字型のＰＣユニット１には十字型の注入口11を形成している。また、化粧面Ｋについては、Ｌ型のＰＣユニット１には両側面に形成し、Ｔ型のＰＣユニットには、屈曲面でない一側面に形成している。
【００３４】
そしてまた、支持脚15・15…については、Ｌ型のＰＣユニット１には両側の側縁部12・12と屈曲部、Ｔ型のＰＣユニット１には３方の側縁部12・12…、十字型のＰＣユニット１には４方の側縁部の底部にそれぞれ配設している。また、側縁部12や下縁部13、中空内壁14・14に形成する凹部12a・13a・14aについては、直線型のＰＣユニット１と同様の形状としている。
【００３５】
[ベタ基礎工法について]
次に、上記ＰＣユニット１を用いたベタ基礎工法について説明する。まず、第一のステップとして、基礎の土間部分に鉄筋を網目状に組み、更に基礎の立上り部分に鉛直方向の鉄筋Ｒを設置した状態で底盤コンクリートＣ1の打設を行う(図６参照)。この際、立上り部分には鉛直方向の鉄筋Ｒ・Ｒ…が所定間隔で突き出した状態となる。
【００３６】
なお、上記底盤コンクリートＣ1の打設時には、コンクリートの打込み後、凝結する前にコンクリート上面をダンピングまたはコテ押えし、表面をコテで均して仕上げる。一方で、立上り部分のコンクリート上面については、接合強度を高めるために軽く刷毛引き等を行って目荒しをしておくのが好ましい。
【００３７】
その後、第二のステップとして、上記立上り部分から突き出した鉛直方向の鉄筋Ｒ・Ｒ…に水平方向の鉄筋Ｒ’を連結して鉄筋を格子状に組む(図７参照)。なお、立上り部に鉄筋を組む作業は底盤コンクリートＣ1の打設前に行うこともできるが、底盤コンクリートＣ1を打設した後の方が、足下が綺麗な状態で作業を行うことができる。
【００３８】
更にその後、第三のステップとして、上記底盤コンクリートＣ1上にＰＣユニット１・１…を、底盤コンクリートＣ1との間に所定大きさの隙間(15mm程度)を空けた状態で、立上り部分の鉄筋Ｒ・Ｒ…に被せるように並置する(図８参照)。この際、ＰＣユニット１・１同士の間にも所定大きさ(30mm程度)の隙間を設ける。
【００３９】
またこの際、立上り部分のコーナー部からＰＣユニット１を設置し始め、その後、直線部や端部にＰＣユニット１を設置することで、設置作業を効率的に行うことができる。また、ＰＣユニット１の水平出しや、底盤コンクリートＣ1との隙間の調整は、底部の支持脚15・15…の長さを調節して行う。
【００４０】
その後、第四のステップとして、図９に示すように、ＰＣユニット１・１同士の境目部分にコ字型の型板部材Ａを、境目の隙間を塞ぐように被せて設置すると共に、ＰＣユニット１・１…の両側に、棒状または板状の基部型枠Ｍ・ＭをＰＣユニット１と底盤コンクリートＣ1間の隙間を塞ぐように配置する。
【００４１】
なお、上記ＰＣユニット１の基部型枠Ｍには、底盤コンクリートＣ1を打設する際に使用したベース用型枠を利用することができる。その場合には、ベース用型枠に上下幅に余裕のあるコンパネ等を使用する。また棒状の基部型枠Ｍを使用する場合には、底盤コンクリートＣ1に釘打ちして仮留め固定する。
【００４２】
そして最後に、上記ＰＣユニット１・１…の注入口11から流体状の後打ちコンクリートＣ2を流し込んで、ＰＣユニット１の中空部及びＰＣユニット１の両側縁部12・12や下縁部13、中空内壁14・14に形成された凹部12a・13a・14a内に後打ちコンクリートＣ2を充填し、これを凝結させて土間部分と立上り部分を鉄筋コンクリートで一体に構築する。
【００４３】
なお、上記のようにＰＣユニット１の両側縁部12・12や下縁部13、中空内壁14・14に形成された凹部12a・13a・14a内に後打ちコンクリートＣ2を充填することによって、ＰＣユニット１と後打ちコンクリートＣ2との接合強度を向上させることができる。またＰＣユニット１の凹部12a・13a・14aによってアンカー効果も得られるため、耐震性も向上する。
【００４４】
また、上記ＰＣユニット１内に後打ちコンクリートＣ2を流し混んだ際、型板部材Ａ及び基部型枠Ｍ・Ｍによって、両側縁部12・12の凹部12a・12aを含むＰＣユニット１・１間の隙間、及び下縁部13の凹部13aを含むＰＣユニット１と底盤コンクリートＣ1間の隙間から後打ちコンクリートＣ2が外に漏れ出ないようにすることができる。
【００４５】
本発明は、概ね上記のように構成されるが、実施例に限定されるものではなく、「特許請求の範囲」の記載内において種々の変更が可能であって、例えば、上記ＰＣユニット１の形状に関しては、基礎の立上り部分の形状に合わせて任意に変更することができ、平面視で直線型、Ｌ型、Ｔ型、十字型以外の形状を採用することもできる。
【００４６】
また、上記ＰＣユニット１の注入口11に関しても、図１０(a)〜(c)に示すように注入口11の周壁に凹部11a・11a…を形成して、後打ちコンクリートＣ2との接合強度を高めることもできる。また、ＰＣユニット１の側縁部12や下縁部13、中空内壁14・14に形成する凹部12a・13a・14aの形状も適宜変更することができる。
【００４７】
そしてまた、ＰＣユニット１の寸法に関しても、現場に運搬する際や現場で設置する際に作業者が人力で持ち運べるようにできるだけ小型に設計することが望ましいが、必要に応じて大型に設計することもでき、上記何れのものも本発明の技術的範囲に属する。
【産業上の利用可能性】
【００４８】
近年、建築分野においては、従来よりも施工コストを抑制でき、かつ、施工効率も向上できる新しい施工方法の開発が求められている。そのような中で、本発明のＰＣユニットを用いたベタ基礎工法は、基礎工事を簡単かつ効率的な方法で行えるだけでなく、安全性等の問題も解消できる有用な技術であるため、その産業上の利用価値は非常に高い。
【符号の説明】
【００４９】
１  ＰＣユニット
11  注入口
11a  凹部
12  側縁部
12a  凹部
13  下縁部
13a  凹部
14  中空内壁
14a  凹部
15  支持脚
Ｋ  化粧面
Ｃ1  底盤コンクリート
Ｃ2  後打ちコンクリート
Ｒ  鉄筋
Ａ  型板部材
Ｍ  基部型枠
【図１】
0005984754.tif 000002
【図２】
0005984754.tif 000003
【図３】
0005984754.tif 000004
【図４】
0005984754.tif 000005
【図５】
0005984754.tif 000006
【図６】
0005984754.tif 000007
【図７】
0005984754.tif 000008
【図８】
0005984754.tif 000009
【図９】
0005984754.tif 000010
【図１０】
0005984754.tif 000011